(57)【要約】      （修正有）【課題】従来のご遺骨を納めた骨瓶は、その儘で骨陰箱に収納し、骨陰箱覆（骨覆）を纒い、ご遺族に手渡たされ、自宅にて中陰祭壇にお祀りして忌中に入る。その骨瓶には覆いもなく、防臭の何ら手だても無く、装備もない儘に、広い式場から狭少な自宅へ移り、供花や供香の昼夜に亘る供養で、自宅の狭少の部屋は、生花の茎腐れの臭や焼香臭に、ご遺骨の焼臭などの混合臭が家中に満延して、匂に敏感な者には耐え難い日々となる。【解決手段】瓶蓋をビニールテープ等で密閉することなく、４帯包による瓶覆で防臭を設し、防臭強化の補助と、芳香による家庭内の清浄を醸して、故人の尊厳とご遺族の和みの中で満中陰を迎える。そのご遺骨瓶に装着する瓶覆冠の内外に亘る防臭効果と、瓶覆の装着の儘で墓地への納骨も可能で、万一骨瓶の損傷時、水害時のご遺骨の散乱を防止し、防虫や名入れ、又、写真等も忍ばせることも可能で、後年、誰のご遺骨かわかるようにできる。【選択図】図４
2017023674.tif 000002
【特許請求の範囲】
【請求項１】
故人のご遺骨瓶をポリエステル地、ナイロン地、ビニール地等、水を通し難い素材の布地を用いて作る、ご遺骨瓶の防臭帯装の瓶覆は、その瓶を正常位で挿入できる袋形にして底縫いし、その瓶丈の２〜２．５倍の筒状に縫合し、その筒状の上口部先端縁を４方に等分し、それぞれの辺の中心部に、５ｃｍ位の巾で布地を残して帯巾とし、それら４辺に設けた帯と帯の間を、その筒状布丈の約１／３分をその筒の上口縁よりＶ字形に、その帯と帯間でそれぞれ切り落とし、４本帯の筒袋を作る。
その４本帯の真下、瓶の上辺頭頂部真横筒布に、上部の帯巾分、その帯を平に開いて通せる分の横切口を設け、瓶がその筒袋に挿入されて、帯の左右、前後の対向する帯同志が瓶頭上で互いに攀掛けで、対向布内側より帯を挿入させて、横切口より外出しし、左右同時に下へ引くことで、マジックテープの縫合位置を決め、前後も同様に決めて布筒体は布外側に、帯先口は内側にマジックテープを縫合し、前述通りに帯通しして止め、調整する。異形状の瓶への装着は対帯の上下交互の装着もでき、又、瓶上での花結びも可能である。
“瓶蓋の密閉は思わしくない”との教示に習って、ビニールテープ等による瓶蓋の密閉ではなく、上記の形状にし、万一の瓶損傷によるご遺骨の散乱の防止、防臭、更に装着の儘での納骨で水防止、虫防止を可能にし、定めの無い限り写真及び書簡を忍ばせることも可能にした、ご遺骨瓶の瓶覆。
【請求項２】
厚手の布地で作る瓶冠は、請求項１の瓶覆と一体で、補助防臭と芳香に資す瓶  冠は、そのご遺骨を覆う瓶覆の上に装着する冠で、その瓶の周囲径に瓶覆分の裕を設けて、筒状に縫合して作る。その筒丈は、その瓶の高さと、その瓶上で、懸ける帯掛けの帯巾と、帯掛け部の搾り込み分、及び、その上部で花房等を作る布丈分を勘案して決め、その筒状の最下部の縁廻りに紐通しのための袋縫いを設して紐通しする。その紐は瓶胴廻り結束の紐で、その紐通し袋縫いの筒内の上部は、瓶頭頂部迄の壁面補強でボール紙の内貼りを設し、それより上部の筒布内は、筒頭頂に設ける花房等工作物によっては裏面が見えるため裏布地を設し、最上部の縁廻りには３〜５ｍ／ｍの袋縫いを設こし、針金や紐通しのできる造形のための素地を設しておく。
瓶型を用いて帯掛けのための搾り込みを設こす筒布の中腹部は、帯掛のためと、その上に造形する工作物の土台となるため、及び、芳香物の入置場となるため、搾巾を１／２程度に押さえる。
適宜に帯掛けをし、搾部の造形が整った段階で、その搾部の内裏側にできる瓶蓋上の山笠形の空洞に防臭壁を設けるため、山笠形の厚ボール紙で造形した搾部蓋を用いて、接着剤で固定して防臭補助を設す。
その固定蓋上には逆山笠形と帯掛部の窪みが生じ、その上部に造形する工作物の中心窪みとなり、芳香物（剤）の入置場となる。
その上部の造形は、故人により、男、女、老、若、幼、少等により造形を変化できる。
請求項１の「瓶覆」上に一体で用いる上記瓶冠は、狭い居住空間を和ませ、故人の尊厳と、長い時間喪に服すご遺族の故人への感謝の意と無冠でなかったことを表わす意味も含む瓶覆冠の瓶冠。
【発明の詳細な説明】
【技術分野】
【０００１】本発明は宗教用具の葬祭具に関する。
【背景技術】
【０００２】故人が荼毘に付され、そのご遺骨は骨瓶に収められて、骨陰箱に収納され、骨覆と称する金襴布を纒い、式場（会場）より自宅へ帰る。
ご遺骨は、その姿の儘で中陰祭壇（後飾祭壇）に祀られ、初七日忌より七七日忌の満中陰（忌明け）を迎え、ご納骨の時を迎える迄、その骨覆と称する金襴布を纒い続ける。
墓石へのご納骨時に始めて、その着衣を脱ぎ無着衣の儘の骨瓶姿で、墓石下の納骨室（カロート）に入るのが一般的な故人のご遺骨の扱かわれ方である。【０００３】
【特許文献１】特開２００７−２０９５８４
【発明の開示】
【発明が解決しようとする課題】
【０００４】核家族化、少子化、都市移住化した現代では、共働きであったり、受験生、思春期の子を持つ家庭が多い。
更に集合住宅であったり、寮であったりする住宅問題も少なからず存在し、更に不用乍らも宗教や、菩提寺、お墓といったものに無縁に思われていた場合には、暫くの間、ご遺骨は自宅にお祀りせざるを得ない人達が増えている。
ご遺骨が広い式場（会場）から自宅へ帰り、狭少な部屋に中陰祭壇（後飾祭壇）が組まれ、その囲には、供花や供物が所狭しと並べられる。
膳部を供え、供香を炊き続けての、これから満中陰（七七日忌）迄、又は、墓石が建造されご納骨迄の間、故人の成仏を願って供養を重ねるご遺族のご家庭には、やがてあの広い斉場での独特な臭いと、供花の水を取り替えても茎ぐされの臭に焼香の臭も相まっての混合臭で、不眠になる人、又、緊張や仕事披れもあって過労を訴える人が多い。
又、他方では、代々の菩提寺も墓も有り乍ら、ご納骨を遅らせても暫くの間、供養のためご遺骨と一緒に居たいと考える人達もいる。
【課題を解決するための手段】
【０００５】従来のご遺骨を納めた骨瓶は、その儘で骨陰箱に収納し金襴布で作る骨覆と称する骨陰箱覆を纒い、ご遺族に手渡され、自宅にて中陰祭壇にお祀りして忌中に入る。
その骨瓶は覆いもなく、防臭の何等手だても無く、装備も無い儘に、広い式場から狭少な自宅へと移り、更に供物の生花や供香の昼夜に亘る供養は、ご遺族には故人の中陰の期間、迷うことなくと願う供養で精一ぱいとなる間、狭少の部屋は早や異臭が漂い、生花の水を取り換えても茎腐れや容器腐れで異臭を放ち、焼香臭も加わった混合臭が家中に満延して、匂いに敏感な者には耐え難い日々となる。
生花は造花にできる、焼香は無香料香に換えられるが、ご遺骨の焼臭は術がない。
“瓶蓋の密閉は思わしくない”とのご教示に習い、本発明の瓶覆冠は、そうした問題と、故人とご遺族の慈愛のために考案されたもので、瓶蓋をビニールテープ等で密閉することなく、防臭を設し、防臭帯装の瓶覆と芳香で清浄を醸す瓶冠との一体装着により、故人の尊厳とご遺族の和みの中で満中陰を迎える。【０００６】その防臭帯装の瓶覆（２−１）は、ご遺骨瓶をポリエステル、ナイロン地、ビニール地等、水をはじき、水を通し難い生地を用いて作る。
その形状は、ご遺骨瓶（３−１−８）を正常位で挿入できる袋状（１−１−１）に縫合し、その瓶丈の約２倍の挿入袋高の底面は、同じ生地による底布（１−２−１）を用いて、２重又は３重のミシン掛けで強力に縫合し、筒状の袋に作る。
その筒状の袋の布上口縁の周径を４等辺に等分し、それぞれの辺の中心部に４〜５ｃｍ位の巾で布地を残して、帯巾（１−１−７）とし、それ等各辺の帯と帯の間を、その筒状布丈の１／３を、筒布上口の帯巾外横より、次の帯巾内外迄の間をＶ字形に切り落とし、各帯間を同様に切り落として、筒布の上体部に４本の帯を作る。【０００７】その４本の帯の真下、瓶蓋上面真横の筒状布腹部に、その帯巾が平面で通せる横切り帯通し口（１−１−４）を帯巾に裕を設けて切開し、その帯周りＶ字切り落し縁、及び、帯通し口の縁縫いをして、その４本の帯の向い合う帯同志対側に攀って、それぞれの帯先端を互いに対帯内側より帯通し口に差し込み、帯先端を筒布の外へ引き出して、対帯先端部を広げて強く引き、マジックテープ（１−１−３）の縫付位置を決めて、残る対側の帯も同様に位置決めをして、それ等４本の帯先端内側と、筒布胴囲りの位置決め個所にマジックテープを縫合して、それぞれの帯を強く下へ引いて筒布へ止める。【０００８】前記の防臭帯装の瓶覆に付帯して使用する、防臭補強と清浄芳香と、故人の尊厳と感謝の冠造りを設した瓶冠（４−１）は、故人のご遺骨が葬儀式を終えて（葬儀式での使用も可能）自宅に用意した中陰祭壇に祀る際に、骨陰箱より出した瓶覆姿のご遺骨瓶上に被る帽子状の冠で、厚手の布を用い、そのご遺骨瓶の瓶囲り形状に合わせて、縦長の筒状に、ご遺骨瓶が装着している瓶覆分の裕を見て縫合し、その筒布丈には、ご遺骨瓶丈とその瓶蓋上に設ける帯巾と、その帯掛けのための搾り込み分との合計と、その搾り込み部の上に工作する冠造形分を勘案して長さを決める。【０００９】その筒状布の最下部縁周りには、ご遺骨腹を結束するための紐通し袋縫い（）を設し、冠の抜け外れの防止と、防臭の強化を計り、その紐通し袋縫い直上から帯掛け搾部下迄の間は、冠筒状維持とその上に工作する布搾部の土台形成のため、裏貼りボール紙（３−１−３）を接着剤を用いて貼り込む。
帯掛け部の搾り具合は、使用する帯巾と結びを勘案しながら、搾部の形状を造形して仮止めし、その形状の儘で、その筒状布の底部より、搾り込むことでできる山笠形状の突起部に、笠形加工ボール紙（３−２−１）を嵌め込み、接着剤を用いて密閉状態迄に貼り付け、この筒状布最下部に設した結束紐による密封と共に防臭に働き、瓶覆いの帯装防臭効果に強力な補強効果を発輝する。
搾部に帯（４−１−８）掛けを設した、その搾部の筒布上部内側は逆笠形の窪みが生ずる。
その窪みを利用して芳香剤（物）の入置場（４−１−４）とし、入れ換え可能な状況で増減し、催事室の清浄を計る。
その搾部の上は冠の造形部であり、搾部は造形部の土台をも形成しているため、その搾部の搾り具合は、搾り過ぎの無いよう注意を要する。【００１０】瓶冠の最上部に設ける冠の造形は、その造形の形状により、筒布最上先端縁周りに、針金を通すための袋縫い（４−１−５）を設し、又、造形の形状によっては、その筒状布の形状を変えた造形であってもよい。
この冠は、故人が黄泉へ旅立つ刹那のご遺族よりの感謝の意であり、尊い生涯が無冠ではないとの表現であり、女性は花房を、男性は兜を……と造形は自由にできる。
又、瓶覆上に瓶冠を装着の折に、極度に匂いに敏感な方は、消臭剤を瓶覆の蓋上に用いてもよく、又、芳香剤（物）入置場に、芳香剤（物）に換えて消臭剤を用いてもよい。【００１１】異形のご遺骨瓶への瓶覆の装着は、向い合う対帯同志を上下に重ね、下帯を帯通し横切口（１−１−４）に通して対帯双方を強く引き、双腹のマジックテープ（１−１−３）に止める。
又、その用法で装着できない場合は、ご遺骨瓶上で、対帯同志の花結びも可能である。
【発明を実施するための最良の形態】
【００１２】この瓶覆冠の瓶覆は、故人が荼毘に付され、そのご遺骨が納骨瓶に収められた時に装着する。
旧来の納骨瓶は円筒形で、被せ蓋を用いるものがほとんどであったが、近年は自分の骨瓶をデザインしたり、デザインのみならず、自作の焼物を作る人もいるが、基本的には円筒形、４角筒形、８角筒形等でそのいずれにも使用可能な瓶覆で、それは故人の衣である。
“瓶蓋の密閉は思わしくない”との教示に習い、ビニールテープ等での蓋閉じはせず、四方帯による攀掛け止めにし、異形の瓶型には風呂敷風に結ぶことも可能で、水をはじくポリエステル地やビニール地、ナイロン地等の生地で作る瓶覆は、墓所へのご納骨にその儘で収めることができ、特別の定めが無い限り写真等を忍ばせることもできる。
更にこの瓶覆は、ご遺骨が式場（会場）より自宅に帰られ、自宅に祭祀するための中陰祭壇（後飾祭段）上に祀る時に、ご遺骨の纒う瓶覆と一体で用いる瓶冠がペアとなっており、この瓶冠は故人の生涯は無冠ではないとのご遺族の感謝の意と、中陰の四十九日間を戦い抜く故人への限りない応援の願として用いる。
瓶覆を纏うご遺骨を骨陰箱より取り出し、瓶冠を被覆して、下紐を強く引き締めて結ぶことにより、瓶冠搾部に設した被覆部と冠部の遮断壁との防臭効果の倍増と、頭頂冠の造形体の真中の窪処に用いる芳香（物）により、祭壇を祀る部屋内を清浄に保つ。
【発明の効果】
【００１３】近年に於ける核家族化、少子化、そして若年層に限らず都市部への人工の流入で、都市部の墓地の不足が叫ばれる昨今、高齢化時代の追い打ちも重なり、ご不幸に遭遇しても様々な事情により、暫くも故人のご遺骨を自宅に祀ることになる人々が増えている。
お墓等様々な問題で、満中陰を過ぎて暫くの間、自宅にお祀りする人達の、ご遺骨に粗相があってはと気遺うあまりの奥じまいにせず、狭少でも場所を設けて祀り、供養する人達、又、他方では、代々の菩提寺も墓も有り乍ら、喪主が遠方に居たりして、ご納骨を遅らせて迄も暫くの間、ご遺骨と共に生活して供養したいと考える人達等々、そのような場合、このご遺骨に装着する衣（瓶覆）と冠（瓶冠）のペアの効用が際立つことになる。
いずれの場合であっても、故人の尊厳を損わない形状での装飾と、服喪中のご遺族に和みを醸して、清浄を創出することを願っての考案で、旧来の形態を外飾りとすると、この瓶覆冠は内飾りとなる。
【図面の簡単な説明】
【００１４】
【図１】１〜１  瓶覆冠の瓶覆工作途中正面斜視図  １〜２  瓶覆の底布正面斜視図
【図２】２〜１  瓶覆の完成骨瓶装着正面斜視図
【図３】３〜１  瓶覆冠の瓶冠工作途中正面斜視図  ３〜２  瓶冠帯掛け搾部内貼ボール紙加工正面斜視図
【図４】４〜１  瓶冠完成骨瓶骨覆装着上設置正面斜視図
【符号の説明】
【００１５】１〜１〜１瓶覆布の筒状縫製布
１〜１〜２  〃    〃  上部帯
１〜１〜３  〃    〃  帯止めマジックテープ
１〜１〜４  〃    〃  帯通し横切り口
１〜１〜５  〃    〃  底布縫製部
１〜１〜６  〃    〃  帯加工切除部
１〜１〜７  〃    〃  帯止めマジックテープ
１〜２〜１  〃    〃  底布加工布
２〜１〜１  〃    〃  縫製布
２〜１〜２  〃    〃  帯（攀掛け止）
２〜１〜３  〃  骨瓶上攀掛け
２〜１〜４  〃  筒状底縫製部
３〜１〜１瓶冠の筒状縫製布
３〜１〜２瓶覆内包下部
３〜１〜３瓶冠の筒状内貼ボール紙
３〜１〜４  〃  〃  下部紐通し袋縫部
３〜１〜５瓶冠の筒状頭頂布巾拡長部
３〜１〜６  〃  〃  頭頂袋縫部
３〜１〜７瓶覆の筒状底布縫製部
３〜２〜１瓶冠の帯掛け部搾部笠形加工ボール紙
３〜１〜８ご遺骨瓶
４〜１〜１瓶冠の瓶覆筒布
４〜１〜２瓶覆布包下部
４〜１〜３瓶冠覆布帯掛搾部
４〜１〜４瓶冠花房開花部窪み芳香入置場
４〜１〜５瓶冠花房開花部袋縫部
４〜１〜６瓶冠覆筒布下部袋縫部
４〜１〜７  〃  〃  〃  紐通し結束状態
４〜１〜８瓶冠筒搾部帯掛状態
【図１】
2017023674.tif 000003
【図２】
2017023674.tif 000004
【図３】
2017023674.tif 000005
【図４】
2017023674.tif 000006